(57)【特許請求の範囲】
【請求項１】
プロセスインキを用いた本印刷機による色再現範囲よりも広い色再現範囲を有する校正出力機において、本印刷機による色再現を模擬する色校正方法であって、
前記本印刷機において用いるプロセス色画像データに対して前記本印刷機の色再現と前記校正出力機の色再現を一致させる変換を行い前記校正出力機で用いるプロセス色変換画像データを得るプロセス色変換過程と、
特色色見本データに対応する前記校正出力機の色再現データを参照して前記校正出力機で特色を再現させる特色参照データを得る特色参照過程と、
前記本印刷機において用いる特色画像データの画素値を前記特色参照データで置換して前記校正出力機で用いる特色変換画像データを得る特色変換過程と、
前記プロセス色変換画像データと前記特色変換画像データを合成し合成画像データを得る合成過程と、
前記合成画像データを前記校正出力機で出力する出力過程と、
を有することを特徴とする色校正方法。
【請求項２】
前記特色は複数であって、前記特色変換過程は、複数の特色色見本データと前記本印刷機において用いる複数の特色画像データに基づき前記校正出力機で用いる特色変換画像データを得る過程であることを特徴とする請求項１記載の色校正方法。
【発明の詳細な説明】
【０００１】
【産業上の利用分野】
本発明は、本印刷機による色再現を校正出力機において模擬する色校正方法に関する。特に、プロセスインキだけでなく特色インキを用いて印刷が行われる場合に、特色の色再現性が良好な色校正方法を提供する。
【０００２】
【従来の技術】
プロセスインキは、Ｙ（Yellow），Ｍ（Magenta ），Ｃ（Cyan），Ｋ（Black ）の４色刷で色再現が可能な組合せのインキである。多くのカラー印刷物ではこのプロセスインキを用いて印刷が行われるが、特色インキを用いて印刷が行われる場合がある。たとえば、印刷物において特別な色が広い面積を占める場合、高い印刷効果が要求される場合、プロセスインキだけでは表現できない場合、等である。特に、多くの軟包装材料やカートン材料への印刷においてはプロセスインキで印刷する部分と特色インキで印刷する部分の両方が含まれる。
【０００３】
一般に、印刷機（本印刷機）で製品としての印刷物を印刷する（本機刷）前に、通常は校正印刷機で校正印刷物を印刷する（校正刷）ことが行われる。校正印刷物において、文字絵柄の内容や配置が適正であるか、色再現性が適正であるか（色校正）、等を前もって検査しておくためである。この校正印刷には、たとえばディジタルデータを入力してカラー印刷物を出力するＤＤＣＰ（Direct Dijital Color Printer) が用いられる。従来のＤＤＣＰによる色校正では、通常ルックアップテーブル（ＬＵＴ）によりデータ変換したデータを用いて出力が行われる。そのルックアップテーブルは、本印刷機でプロセスインキを用いて印刷が行われる場合のデータに対して、ＤＤＣＰにおいて適正な色再現が得られるデータを得るためのデータ変換用のルックアップテーブルである。
【０００４】
【発明が解決しようとする課題】
この場合、軟包装材料への印刷のようにプロセスインキで印刷する部分だけでなく特色インキで印刷する部分が含まれる場合においては色再現上の問題が生じる。すなわち、プロセスインキで印刷物として表現できる色再現範囲に特色インキの色が含まれていないような場合には、適正な色再現を印刷物において得ることができない。
そこで本願発明の目的は、プロセスインキの色再現範囲に限定されずに特色インキの色再現を行うことができる色校正方法を提供することにある。
【０００５】
【課題を解決するための手段】
上記目的は下記の本発明によって達成される。すなわち、本発明は「プロセスインキを用いた本印刷機による色再現範囲よりも広い色再現範囲を有する校正出力機において、本印刷機による色再現を模擬する色校正方法であって、前記本印刷機において用いるプロセス色画像データに対して前記本印刷機の色再現と前記校正出力機の色再現を一致させる変換を行い前記校正出力機で用いるプロセス色変換画像データを得るプロセス色変換過程と、特色色見本データに対応する前記校正出力機の色再現データを参照して前記校正出力機で特色を再現させる特色参照データを得る特色参照過程と、前記本印刷機において用いる特色画像データの画素値を前記特色参照データで置換して前記校正出力機で用いる特色変換画像データを得る特色変換過程と、前記プロセス色変換画像データと前記特色変換画像データを合成し合成画像データを得る合成過程と、前記合成画像データを前記校正出力機で出力する出力過程と、を有することを特徴とする色校正方法。」である。
【０００６】
本発明によれば、プロセス色に関しては、プロセス色変換過程により本印刷機において用いるプロセス色画像データに対して本印刷機の色再現と校正出力機の色再現を一致させる変換が行われ校正出力機で用いるプロセス色変換画像データが得られる。一方特色に関しては、特色参照過程により特色色見本データに対応する校正出力機の色再現データを参照して特色参照データが得られ、特色変換過程により本印刷機において用いる特色画像データと特色参照データに基づき校正出力機で用いる特色変換画像データが得られる。このように、プロセス色と特色とは処理が独立分離している。そして合成過程により、プロセス色変換画像データと特色変換画像データを合成し合成画像データが得られ、出力過程により合成画像データが校正出力機で出力される。したがって、プロセスインキの色再現範囲に限定されずに特色インキの色再現を行うことができる色校正方法が提供される。
【０００７】
また本発明は「特色は複数であって、特色変換過程は、複数の特色色見本データと本印刷機において用いる複数の特色画像データに基づき校正出力機で用いる特色変換画像データを得る過程である色校正方法」である。本発明によれば、特色変換過程により複数の特色見本データと本印刷機において用いる複数の特色画像データに基づき校正出力機で用いる特色変換画像データが得られる。したがって、複数の特色インキの色再現を行うことができる。
【０００８】
【発明の実施の形態】
以下、本発明の色校正方法について実施の形態により説明する。図１は本発明の色校正方法を実施する場合の処理過程を示すフロー図である。図１に基づき処理過程を説明する。ステップＳ１のプロセス色変換過程において、本印刷機において用いるプロセス色画像データに対して本印刷機の色再現と校正出力機の色再現を一致させる変換が行われ校正出力機で用いるプロセス色変換画像データが得られる。プロセス色画像データは本印刷機で印刷が行われる場合の各色プロセスインキの印刷版を形成する基となる画像データである。したがって、プロセス色画像データの各画素の値はＣ，Ｍ，Ｙの３色の値（または、Ｃ，Ｍ，Ｙ，Ｋの４色の値）の組からなる。すなわち、各画素の値は色ベクトルで表すことができる。
【０００９】
プロセス色変換過程は、入力した色ベクトルに対しプロセスＬＵＴ（look up table ）を参照し対応する色べクトルを出力する過程であり、プロセス色画像データを構成するすべての画素に対して変換済みの色ベクトルを求める過程である。プロセスＬＵＴは本印刷機の色再現と校正出力機の色再現を一致させるデータテーブルであり（後述する）、変換済みの色ベクトルを画素値とするプロセス色変換画像データを校正出力機で出力すると、その色再現は本印刷機の色再現と一致する。
【００１０】
ステップＳ２の特色参照過程において、特色色見本データに対応する校正出力機の色再現データを参照して特色参照データが得られる。特色の色は通常は色見本によって（得意先より）指定されるから、まず色見本を測色装置を用いて数値化し色見本の測色データ（すなわち特色色見本データ）を得る。一方、校正出力機の色再現データは、入力データである色ベクトル、すなわちＣ，Ｍ，Ｙの３色の値（または、Ｃ，Ｍ，Ｙ，Ｋの４色の値）と、その入力データに基づいて校正出力機により出力された印刷物の測色データとを対応付けしたデータである。そこで、色見本の測色データに基づいて校正出力機の色再現データを参照して対応する色ベクトル（特色参照データ）を求める。逆に、この特色参照データを入力データとして校正出力機により出力を行うと、再現される色は色見本の色と一致する。
【００１１】
ステップＳ３の特色変換過程において、本印刷機において用いる特色画像データと特色参照データに基づき校正出力機で用いる特色変換画像データが得られる。特色画像データは本印刷機で印刷が行われる場合の特色インキの印刷版を形成する基となる画像データである。特色インキは、本印刷機において印刷が行われた場合の印刷物において、色見本の色と一致する色が再現されるように、特別に調合されたインキである。すなわち、１つの特色は１つの特色インキを用いて１つの印刷版により印刷が行われる。したがって、特色画像データの各画素値はスカラーである。特色変換過程は、このスカラーである各画素値を色ベクトルである特色参照データによって変換（通常は置き換え）を行い変換済みの色ベクトルを画素値とする特色変換画像データを得る過程である。
【００１２】
通常は特色の色見本の色を１００％（ベタ）で表現し、特色画像データの各画素値を０％と１００％の２つで表現することが多い。その場合には、画素値０％を零ベクトルに、画素値１００％を色ベクトル（特色参照データ）に変換する（置き換える）。特色画像データが半調部分を含む（各画素値を０％〜１００％で表現する）ような場合において、直接対応するデータが無い画素値には、特色参照データに基づいて補間法を適用する等により対応するデータを求め、そのデータに変換する。
【００１３】
ステップＳ４の合成過程において、プロセス色変換画像データと特色変換画像データを合成し合成画像データが得られる。前述のようにプロセス色変換画像データと特色変換画像データとは、いずれも、各画素値はＣ，Ｍ，Ｙの３色の値（または、Ｃ，Ｍ，Ｙ，Ｋの４色の値）からなる色ベクトルである。本発明は合成方法によっては限定されないが、たとえば次のように行われる。まず、プロセス色と特色の画像データの対応する画素の画素値を比較し、両者が零ベクトルの場合には零ベクトルをその画素の合成後の画素値とする。また、一方が零ベクトルである場合には零ベクトルでない色ベクトルをその画素の合成後の画素値とする。また、両者が零ベクトルでない色ベクトルの場合にはプロセス色と特色の印刷版の刷り重ねの順番を考慮し、印刷物の目視面の表面層を形成する色ベクトル（通常はプロセス色）をその画素の合成後の画素値とする。
【００１４】
ステップＳ５の出力過程において、合成画像データを校正出力機で出力する。上記の処理過程により得られた合成画像データが用いられるため、プロセスインキの色再現範囲に限定されずに特色インキの色再現を行うことができる。
【００１５】
次に、本発明の校正方法による色再現範囲について説明を行う。図２は本発明の校正方法による色再現範囲を模式的に示す図である。図２において、横軸はＬ* ａ* ｂ* 表色系におけるａ* の値、縦軸はｂ* の値である。Ｌ* の値は図２の紙面に垂直な方向の軸であり、図２はＬ* ａ* ｂ* 表色系（色立体）におけるＬ* が定数の切断面を示している。また、プロセス色１で示す内側の六角形はプロセスインキを用いた本印刷機の色再現範囲の境界を表しており、その内部が再現できる色である。また、従来の色校正２で示す中間の六角形は従来の色校正方法による色再現範囲の境界を表しており、その内部が再現できる色である。また、本発明の色校正３で示す外側の六角形は本発明の色校正方法による色再現範囲の境界を表しており、その内部が再現できる色である。
【００１６】
プロセス色１の六角形と従来の色校正２の六角形とは、理論的には同形状となるのであるが、印刷物が有する誤差、測色誤差、演算誤差、等の誤差があり現実は僅かに異なる。本発明の色校正３の六角形は、プロセス色１の六角形と従来の色校正２の六角形とを包含するように、色再現範囲が最も広く示されている。一般に色校正に使用するＤＤＣＰの色再現範囲は、その目的から当然であるが、プロセスインキを用いた本印刷機による色再現範囲と少なくとも同等、通常は十分に広いものとする。これは、ＤＤＣＰで使用するインキの色材として▲１▼その目的に合致するものを選定する、▲２▼必要な印刷濃度が得られるように装置そのものを改良する等により実現される。
【００１７】
次に、特色の色再現について例を挙げて説明する。図２において、特色Ａはプロセス色１の六角形の内部にある。すなわち、この特色Ａは従来の色校正２の六角形の内部にあり、また本発明の色校正３の六角形の内部にある。したがって、この特色Ａは従来の色校正によっても、本発明の色校正によっても同様に適正な本印刷機の色再現を行うことができる。
特色Ｂは従来の色校正２の六角形の外部にある。しかし、この特色Ｂは本発明の色校正３の六角形の内部にある。したがって、この特色Ｂは従来の色校正では本印刷機の色再現を適正に行うことができないが、本発明の色校正によれば本印刷機の色再現を適正に行うことができる。従来の色校正では、通常は矢印ｂで示す色校正２の六角形の境界の色を近似色として色再現が行われる。
【００１８】
特色Ｃは従来の色校正２の六角形の外部にあり、また本発明の色校正３の六角形の外部にある。したがって、この特色Ｃは従来の色校正でも本発明の色校正でも本印刷機の色再現を適正に行うことができない。しかし、従来の色校正では矢印ｃ１で示す色校正２の六角形の境界の色が最も良い近似色であるのに対し、本発明の色校正によれば矢印ｃ２で示す色校正３の六角形の境界の色にまで適正な色再現により近い色とすることができる。
【００１９】
次に、本発明で用いるＤＤＣＰ測色データおよびプロセスＬＵＴについて説明する。ＤＤＣＰ測色データは校正出力機の色再現データとして前述の特色参照過程で用られ、プロセスＬＵＴは本印刷機の色再現と校正出力機の色再現を一致させる前述のプロセス色変換過程で用いられる。図３はプロセスＬＵＴを作成する過程を示す図である。ＤＤＣＰ測色データはその過程の途中で得られる。
図３において、まず、印刷色のチャートを作成するためのチャート画像データ１１を準備する。画像データの各画素値は、たとえば、色ベクトル（Ｃ，Ｍ，Ｙ）で与えられ、各要素Ｃ，Ｍ，Ｙは０〜２５５（８ｂｉｔ）の値を各々有する。そこで、印刷色のチャートを作成する場合には、たとえば、約３２間隔の１０個の値である０，１６，３２，６４，９６，１２８，１６０，１９２，２２４，２５５を選択し各要素に与える。すなわち、画素値としては１０００（１０×１０×１０）種類の色ベクトル（Ｃ，Ｍ，Ｙ）となる、その画素値に対応する色パッチからなるチャート画像データ１１を作成する。
【００２０】
そのチャート画像データ１１を入力してＤＤＣＰ装置１２により出力を行いＤＤＣＰ出力チャート１４を得る。また、そのチャート画像データ１１に基づいて、標準の条件で製版を行い得られた印刷版とプロセスインキを用いて本印刷機１３により印刷を行い本機印刷チャート１５を得る。
次に、測色機１６を用いて、ＤＤＣＰ出力チャート１４の各色パッチを測色しＤＤＣＰ測色データ１７を得る。また、測色機１６を用いて、本機印刷チャート１５の各色パッチを測色し本機測色データ１８を得る。測色値は、たとえば、表色系Ｌ* ａ* ｂ* の値である。もちろん、他の表色系ＲＧＢ、ＸＹＺ、等の値であってもよい。ＤＤＣＰ測色データ１７と本機測色データ１８の測色データは、この（Ｌ* ，ａ* ，ｂ* ）の値と対応する（Ｃ，Ｍ，Ｙ）の値がテーブル形式で（すなわち、関連する値として）登録されたデータである。
【００２１】
次に、プロセスＬＵＴ１９を作成する。（Ｃ，Ｍ，Ｙ）の値に基づいて本印刷機１３により印刷を行って得る色と、（Ｃ’，Ｍ’，Ｙ’）の値を入力してＤＤＣＰ装置１２により出力を行って得る色とが、測色値（Ｌ* ，ａ* ，ｂ* ）が同一（色差が最小）であるとする。プロセスＬＵＴ１９は、そのような、（Ｃ，Ｍ，Ｙ）の値と（Ｃ’，Ｍ’，Ｙ’）の値がテーブル形式で（すなわち、関連する値として）登録されたデータである。
【００２２】
ところで前述のように、チャート画像データ１１はＣ，Ｍ，Ｙの各要素がたとえば約３２間隔の値を有する離散的なデータであり、ＤＤＣＰ測色データ１７と本機測色データ１８も離散的なデータである。そこで、それらデータに基づいて補間法を適用する等によりＣ，Ｍ，Ｙの各要素が１間隔の連続的なデータとして、測色値（Ｌ* ，ａ* ，ｂ* ）が同一（色差が最小）である（Ｃ，Ｍ，Ｙ）の値に対応する（Ｃ’，Ｍ’，Ｙ’）の値を求める。このようなプロセスＬＵＴ１９を求める方法は、特開平１−２３４２５１号、特開平２−２１４２６６号、等に記載されているからここでは詳細な説明を省略する。
【００２３】
本印刷機用の画像データ（Ｃ，Ｍ，Ｙ）をこのプロセスＬＵＴ１９を参照してＤＤＣＰ用の画像データ（Ｃ’，Ｍ’，Ｙ’）に変換する。そして、そのＤＤＣＰ用の画像データ（Ｃ’，Ｍ’，Ｙ’）を入力してＤＤＣＰ装置１２により出力を行う。その出力により得る色は、本印刷機用の画像データ（Ｃ，Ｍ，Ｙ）に基づいて本印刷機１３により印刷を行って得る色と同一（色差が最小）となる。
【００２４】
続いて本発明の色校正方法についてより詳細を説明する。図４は製版工程において本発明の色校正方法を適用した一例を示す説明図である。図４において図３と同一部分には同一番号を付す。以下、本発明を説明する図において同様とする。ＣＥＰＳ（color electronic prepress system）３１によって、カラー原稿（写真）、線画等の原稿または画像データから各インキ色で印刷する分解画像データを得る（作業１）。プロセスインキで印刷する写真３２と線画（１）３３のＣ，Ｍ，Ｙ，Ｋの分解画像データと、特色インキで印刷する線画（２）の特色（１），特色（２），特色（３），特色（４）の分解画像データを得る。
【００２５】
プロセス色カラーマッチングアプリケーション３６によるデータ処理が行われ、写真３２の分解画像データに対してプロセスＬＵＴ１９が参照されマッチング済み写真３８が得られる（作業２；プロセス色変換過程）。マッチング済み写真３７はＤＤＣＰ１２に入力する色データ（Ｃ’，Ｍ’，Ｙ’）で表され、図２に示す従来の色校正２の範囲の色データからなる画像データである。また、プロセス色カラーマッチングアプリケーション３６によるデータ処理が行われ、線画（１）３３の分解画像データに対してプロセスＬＵＴ１９が参照され、マッチング済み線画（１）３８が得られる（作業３；プロセス色変換過程）。マッチング済み線画（２）３８もＤＤＣＰに入力する色データ（Ｃ’，Ｍ’，Ｙ’）で表され、図２に示す従来の色校正２の範囲の色データからなる画像データである。
【００２６】
一方、特色（１），特色（２），特色（３），特色（４）に対応して４つの色見本４１ａ〜４１ｄが存在する（得意先；印刷物の発注元が指定する）。その４つの色見本４１ａ〜４１ｄの色を測色機４２によって測色し、４つの色見本測色データ４３を得る（作業４）。色見本測色データ４３の各々は、たとえば、表色系Ｌ* ａ* ｂ* の値である。次に、Ｌ* ａ* ｂ* →ＣＭＹ変換アプリケーション４４によるデータ処理が行われ、前述した（図３参照）ＤＤＣＰ測色データ１７を参照し、４つの色見本測色データ４３（Ｌ* ａ* ｂ* ）を４つのＣＭＹデータ４６に変換する（作業５；特色参照過程）。このＣＭＹデータ４６は、ＤＤＣＰに入力する色データ（Ｃ’，Ｍ’，Ｙ’）で表され、ＤＤＣＰによって再現される色の範囲のデータ、すなわち、図２の本発明の色校正３の範囲の色データである。
【００２７】
上記の変換により特色インキで印刷する線画（２）３４の特色（１），特色（２），特色（３），特色（４）の分解画像データ（分版画像データ）は、各々色データ（Ｃ’，Ｍ’，Ｙ’）で表されるから、画像データ（Ｃ’，Ｍ’，Ｙ’）に合成することができる。すなわち、特色の数の要素で表される画像データを３つ（Ｃ’，Ｍ’，Ｙ’）の要素で表される画像データとして表すことができる。特色版の分版、合成アプリケーション４７によるデータ処理が行われ、その画像データ（Ｃ’，Ｍ’，Ｙ’）であるマッチング済み線画（２）４８が得られる（作業６；特色変換過程）。
【００２８】
上記のようにして得られた、マッチング済み写真３７、マッチング済み線画（１）３８、マッチング済み線画（２）４７は、図４における合成アプリケーション４９によるデータ処理が行われ、出力用データ５０が得られる（作業７；合成過程）。
出力用データ５０をＤＤＣＰ装置５１に入力し出力を行い出力（印刷物）５２を得る（作業８；出力過程）。
この出力（印刷物）５２の色は、プロセスインキと特色インキを用いて本印刷機により印刷を行って得る色と同一（色差が最小）となる。
【００２９】
次に、上述のＬ* ａ* ｂ* →ＣＭＹ変換アプリケーション４４によるデータ処理（作業５）について一例を詳細に説明する。図５はＬ* ａ* ｂ* →ＣＭＹ変換アプリケーションのデータ処理過程を示す説明図である。図４で前述したように、色見本４１に対して測色機４２による測色が行われ色見本測色データ（Ｌ* ａ* ｂ* ）４３が得られる。また、図３で前述したように、ＤＤＣＰ測色データ１７が得られている。ＤＤＣＰ出力チャート１４の離散的なＣＭＹの値の変化の一例が矩形枠内に示されている。図５に示すように、Ｌ* ａ* ｂ* →ＣＭＹ変換アプリケーション４４によるデータ処理の結果、ＣＭＹデータ４６が得られる。
そのデータ処理の過程は▲１▼〜▲３▼のステップから成る。
【００３０】
まず、ステップ▲１▼において、１０００組（１０００の色ベクトル）のＤＤＣＰ測色データ１７の内から、色見本測色データ（Ｌ* ａ* ｂ* ）４３に最も近い（色差が最も小さい）２７組のデータを選択する。図６は、色見本測色データ（Ｌ* ａ* ｂ* ）４３と選択した２７組のＤＤＣＰ測色データ１７との関係を三次元グラフとして示した図である。
次に、ステップ▲２▼において、たとえば３２刻みの離散的なＣＭＹの値を有する各組のＤＤＣＰ測色データ１７の間を、１刻みの連続的なＣＭＹの値を有する点、すなわち、３２×３２×３２×８点に細分化し、各点のＬ* ａ* ｂ* 値を補間法（たとえば８点補間）により求める。
次に、ステップ▲３▼において、色見本測色データ（Ｌ* ａ* ｂ* ）４３に最も近い（色差が最も小さい）Ｌ* ａ* ｂ* 値を、ステップ▲２▼の補間により得た３２×３２×３２×８点の内から選択し、ＣＭＹの値をＣＭＹデータ４６として出力する。
【００３１】
【発明の効果】
以上の説明のように、本発明によれば、プロセスインキの色再現範囲に限定されずに特色インキの色再現を行うことができる色校正方法が提供される。
また、特色は複数であって、特色変換過程は、複数の特色見本データと本印刷機において用いる複数の特色画像データに基づき校正出力機で用いる特色変換画像データを得る過程である本発明によれば、複数の特色インキの色再現を行うことができる。
【図面の簡単な説明】
【図１】本発明の色校正方法を実施する場合の処理過程を示すフロー図である。
【図２】本発明の校正方法による色再現範囲を模式的に示す図である。
【図３】プロセスＬＵＴを作成する過程を示す図である。
【図４】製版工程において本発明の色校正方法を適用した一例を示す説明図である。
【図５】Ｌ* ａ* ｂ* →ＣＭＹ変換アプリケーションのデータ処理過程を示す説明図である。
【図６】色見本測色データと選択した２７組のＤＤＣＰ測色データとの関係を三次元グラフとして示した図である。
【符号の説明】
１  プロセス色
２  従来の色校正
３  本発明の色校正
１１  チャート画像データ
１２  ＤＤＣＰ装置
１３  本印刷機
１４  ＤＤＣＰ出力チャート
１５  本機印刷チャート
１６  測色機
１７  ＤＤＣＰ測色データ
１８  本機測色データ
１９  プロセスＬＵＴ
３１  ＣＥＰＳ
３２  写真
３３  線画（１）
３４  線画（２）
３６  プロセス色カラーマッチングアプリケーション
３７  マッチング済み写真
３８  マッチング済み線画（１）
４１ａ〜４１ｄ  色見本１〜色見本４
４２  測色機
４３  色見本測色データ
４４  Ｌ* ａ* ｂ* →ＣＭＹ変換アプリケーション
４６  ＣＭＹデータ
４７  特色版の分版、合成アプリケション
４８  マッチング済み線画（２）
４９  合成アプリケション
５０  出力用データ
５２  出力
【図１】
0003935549.tif 000002
【図２】
0003935549.tif 000003
【図３】
0003935549.tif 000004
【図４】
0003935549.tif 000005
【図５】
0003935549.tif 000006
【図６】
0003935549.tif 000007